(57)【要約】【課題】パーツの接合部分から水が浸入することを確実に防止することができる保護スーツを提供することを課題とする。【解決手段】複数個のパーツ１Ａ〜１Ｎの端面を接合することによって立体形状に構成され、サーフィンやシュノーケリング等の種々のウォータースポーツ、または、水中土木やレスキュー等の水中作業において着用される保護スーツ１０であり、パーツ１Ａ〜１Ｎの接合部分に沿って設けられてパーツ１Ａ〜１Ｎの接合部分から水が浸入することを防止するテープ部材１２を備えるものとする。【選択図】図１
2019039105.tif 000002
【特許請求の範囲】
【請求項１】
複数個のパーツの端面を接合することによって立体形状に構成される保護スーツであって、
前記パーツの接合部分に沿って設けられて前記パーツの接合部分から水が浸入することを防止するテープ部材を備える、保護スーツ。
【請求項２】
前記テープ部材は、前記パーツの各接合部分の外側面に配置される、
請求項１に記載の保護スーツ。
【発明の詳細な説明】
【技術分野】
【０００１】
本発明は、保護スーツの技術に関する。
【背景技術】
【０００２】
従来、サーフィンやシュノーケリング等の種々のウォータースポーツ、または、水中土木やレスキュー等の水中作業において着用される保護スーツ（例えば、ウエットスーツ）に関する技術は公知となっている（特許文献１参照）。
前記保護スーツは、着用者の身体に密着するように伸縮性および弾力性に富む素材（主に、ゴム素材）の複数個のパーツから構成される。そして、前記保護スーツは、パーツの端面（断面）に接着剤を塗布して接合すること、また、パーツの端部同士を縫い合わせることによって立体形状に構成される。
【先行技術文献】
【特許文献】
【０００３】
【特許文献１】特開２０１６−１１７９６７号公報
【発明の概要】
【発明が解決しようとする課題】
【０００４】
しかしながら、前記保護スーツでは、複数個のパーツが接着剤で接合され、また、複数個のパーツを縫い合わせることによって接合されることから、当該パーツの接合部分から保護スーツ内に水が浸入する場合がある。
【０００５】
本発明は以上の如き状況に鑑みてなされたものであり、パーツの接合部分から水が浸入することを確実に防止することができる保護スーツを提供することを課題とする。
【課題を解決するための手段】
【０００６】
本発明の解決しようとする課題は以上の如くであり、次にこの課題を解決するための手段を説明する。
【０００７】
即ち、請求項１においては、複数個のパーツの端面を接合することによって立体形状に構成される保護スーツであって、前記パーツの接合部分に沿って設けられて前記パーツの接合部分から水が浸入することを防止するテープ部材を備えるものである。
【０００８】
請求項２においては、前記テープ部材は、前記パーツの各接合部分の外側面に配置されるものである。
【発明の効果】
【０００９】
本発明の効果として、以下に示すような効果を奏する。
即ち、本発明によれば、パーツの接合部分から水が浸入することを確実に防止することができる。
【図面の簡単な説明】
【００１０】
【図１】本発明の実施形態に係る保護スーツを示した前方斜視図。
【図２】同じく保護スーツを示した後方斜視図。
【図３】同じく保護スーツの接合部分を示した断面図。
【図４】同じく保護スーツを示した前方斜視図。
【図５】同じく保護スーツを示した後方斜視図。
【図６】同じく保護スーツを示した前方斜視図。
【図７】同じく保護スーツを示した後方斜視図。
【図８】同じく保護スーツの腕部パーツを展開した状態を示す図。
【図９】同じく保護スーツを示した前方斜視図。
【図１０】同じく保護スーツを示した後方斜視図。
【図１１】同じく保護スーツを示した前方斜視図。
【図１２】同じく保護スーツを示した後方斜視図。
【発明を実施するための形態】
【００１１】
次に、図１乃至図３に記載の保護スーツについて説明する。
【００１２】
保護スーツ１０は、サーフィンやシュノーケリング等の種々のウォータースポーツ、または、水中土木やレスキュー等の水中作業において着用される。以下において保護スーツ１０は、ウエットスーツであるものとして説明する。
図１乃至図３に示すように、保護スーツ１０は、着用者の身体に密着するように伸縮性および弾力性に富む素材（主に、ゴム素材）の複数個のパーツ（例えば、襟部、前身頃、後身頃、腕部、又部、または、足部等）１Ａ〜１Ｎから構成される。保護スーツ１０は、パーツ１Ａ〜１Ｎの端面（断面）に接着剤１１を塗布して接合することによって、立体形状に構成される。また、保護スーツ１０では、接着剤１１を塗布することに加えて、パーツ１Ａ〜１Ｎの接合部分（端部同士）を縫い合わせる構成とすることもできる。
【００１３】
保護スーツ１０は、テープ部材１２を備える。
テープ部材１２は、防水性を有し、パーツ１Ａ〜１Ｎの接合部分から保護スーツ１０内に水が浸入することを防止する。テープ部材１２は、このように、テープ部材１２を備える、保護スーツ１０では、パーツの接合部分から水が浸入することを確実に防止することができる。
【００１４】
テープ部材１２は、弾性を有する帯状の部材であり、所謂、シームテープ、シームレステープ、または、ステッチレステープ等で構成される。
テープ部材１２は、幅ａが約５ｍｍ〜１３ｍｍ程度のもので構成される。テープ部材１２の幅ａが５ｍｍ未満である場合には、パーツ１Ａ〜１Ｎの接合部分から水の侵入を防止する効果を十分に得られない虞があり、特にパーツ１Ａ〜１Ｎの接合部分を縫い合わせた際には縫い目の幅が約４ｍｍ程度であるため、幅ａは５ｍｍ以上であることが好ましい。また、テープ部材１２の幅ａが１３ｍｍを超える場合には、保護スーツ１０の見栄えが損なわれる虞があることから、幅ａは１３ｍｍ以下であることが好ましい。また、パーツ１Ａ〜１Ｎの接合部分から水の侵入を防止することと、保護スーツ１０の見栄えとを考慮すると、テープ部材１２の幅ａは、約１０ｍｍで構成されることが好ましい。
【００１５】
テープ部材１２は、パーツ１Ａ〜１Ｎの各接合部分に沿って接着剤（例えば、熱可塑性接着剤）等によって設けられる。テープ部材１２は、パーツ１Ａ〜１Ｎの各接合部分の外側面に配置される。テープ部材１２をパーツ１Ａ〜１Ｎの各接合部分の外側面に配置することで、保護スーツ１０のデザイン上のアクセントとすることができる。また、テープ部材１２をパーツ１Ａ〜１Ｎの各接合部分の外側面に配置することで、保護スーツ１０の着用者の身体にテープ部材１２が直接触れることなく、保護スーツ１０の着用感を損なうことを防止することができる。
また、テープ部材１２は、パーツ１Ａ〜１Ｎの各接合部分の内側面のみに配置される構成とすることもできる。テープ部材１２をパーツ１Ａ〜１Ｎの各接合部分の内側面に配置することで、テープ部材１２によって保護スーツ１０の見栄えが損なわれることを防止することができる。
また、テープ部材１２は、パーツ１Ａ〜１Ｎの各接合部分の外側面と内側面とに配置される構成とすることもできる。テープ部材１２をパーツ１Ａ〜１Ｎの各接合部分の外側面と内側面とに配置することで、パーツ１Ａ〜１Ｎの接合部分からの水の侵入をより確実に防止することができる。
【００１６】
テープ部材１２は、テープ部材１２が設けられる部分のパーツ１Ａ〜１Ｎの色と異なる色で構成される。例えば、テープ部材１２が設けられる部分のパーツ１Ａ〜１Ｎの色が黒色である場合には、テープ部材１２の色を、青色、赤色、金色、または紫色等で構成する。このように、テープ部材１２の色を、パーツ１Ａ〜１Ｎの色と異なる色で構成することで、保護スーツ１０のデザイン上のアクセントとすることができる。
また、テープ部材１２は、テープ部材１２が設けられる部分のパーツ１Ａ〜１Ｎの色と同一または同系統の色で構成することもできる。例えば、テープ部材１２が設けられる部分のパーツ１Ａ〜１Ｎの色が黒色である場合には、テープ部材１２の色を黒色または黒系の色で構成する。このように、テープ部材１２の色を、パーツ１Ａ〜１Ｎの色と同一または同系統の色で構成することで、テープ部材１２によって保護スーツ１０の見栄えが損なわれることを防止することができる。
【００１７】
保護スーツ１０の下半身部分について説明する。
保護スーツ１０の下半身部分は、前下パーツ１Ｆ、後下パーツ１Ｇ、股パーツ１Ｈ、右前足パーツ１Ｉ、右後足パーツ１Ｊ、左前足パーツ１Ｋ、および、左後足パーツ１Ｌの各端面を接合することによって構成される。前下パーツ１Ｆ、後下パーツ１Ｇ、股パーツ１Ｈ、右前足パーツ１Ｉ、右後足パーツ１Ｊ、左前足パーツ１Ｋ、および、左後足パーツ１Ｌの各接合部分には、テープ部材１２が設けられる。右前足パーツ１Ｉと右後足パーツ１Ｊとの接合部分は右足部分の左右に配置され、それぞれ直線状に構成される。左前足パーツ１Ｋと左後足パーツ１Ｌとの接合部分は、左足部分の左右に配置され、それぞれ直線状に構成される。
【００１８】
次に、図４乃至図５に記載の保護スーツ１０について説明する。
なお、図４乃至図５に記載の保護スーツ１０の説明については、図１乃至図３に記載の保護スーツ１０と同様の構成については適宜その説明を省略し、図１乃至図３に記載の保護スーツ１０と異なる部分を中心に説明する。
【００１９】
図４乃至図５に示すように、保護スーツ１０は、複数個のパーツ２Ａ〜２Ｖから構成される。保護スーツ１０は、パーツ２Ａ〜２Ｖの端面（断面）に接着剤１１を塗布して接合することによって、立体形状に構成される。テープ部材１２は、パーツ２Ａ〜２Ｖの各接合部分に沿って接着剤等によって設けられる。テープ部材１２は、パーツ２Ａ〜２Ｖの各接合部分の外側面に配置される。
【００２０】
保護スーツ１０の下半身部分について説明する。
保護スーツ１０の下半身部分は、前下パーツ２Ｍ、後下パーツ１Ｎ、股パーツ２Ｐ、右前膝パーツ２Ｑ、右後膝パーツ２Ｒ、左前膝パーツ２Ｓ、左後膝パーツ２Ｔ、右足パーツ２Ｕ、および、左足パーツ２Ｖの各端面を接合することによって構成される。前下パーツ２Ｍ、後下パーツ１Ｎ、股パーツ２Ｐ、右前膝パーツ２Ｑ、右後膝パーツ２Ｒ、左前膝パーツ２Ｓ、左後膝パーツ２Ｔ、右足パーツ２Ｕ、および、左足パーツ２Ｖの各接合部分には、テープ部材１２が設けられる。右足パーツ２Ｕの端面の接合部分、および、左足パーツ２Ｖの端面の接合部分は、それぞれ後方に配置され、下部が若干内側に湾曲するように構成される。
【００２１】
次に、図６乃至図８に記載の保護スーツ１０について説明する。
なお、図６乃至図８に記載の保護スーツ１０の説明については、図１乃至図５に記載の保護スーツ１０と同様の構成については適宜その説明を省略し、図１乃至図５に記載の保護スーツ１０と異なる部分を中心に説明する。
【００２２】
図６乃至図８に示すように、保護スーツ１０は、複数個のパーツ３Ａ〜３Ｎから構成される。保護スーツ１０は、パーツ３Ａ〜３Ｎの端面（断面）に接着剤１１を塗布して接合することによって、立体形状に構成される。テープ部材１２は、パーツ３Ａ〜３Ｎの各接合部分に沿って接着剤等によって設けられる。テープ部材１２は、パーツ３Ａ〜３Ｎの各接合部分の外側面に配置される。
【００２３】
保護スーツ１０の下半身部分について説明する。
保護スーツ１０の下半身部分は、前下パーツ３Ｈ、後下パーツ３Ｉ、股パーツ３Ｊ、右後膝パーツ３Ｋ、左後膝パーツ３Ｌ、右足パーツ３Ｍ、および、左足パーツ３Ｎの各端面を接合することによって構成される。前下パーツ３Ｈ、後下パーツ３Ｉ、股パーツ３Ｊ、右後膝パーツ３Ｋ、左後膝パーツ３Ｌ、右足パーツ３Ｍ、および、左足パーツ３Ｎの各接合部分には、テープ部材１２が設けられる。右足パーツ３Ｍの端面の接合部分、および、左足パーツ３Ｎの端面の接合部分は、それぞれ後方に配置され、下部が若干内側に湾曲するように構成される。
【００２４】
次に、図９乃至図１０に記載の保護スーツ１０について説明する。
なお、図９乃至図１０に記載の保護スーツ１０の説明については、図１乃至図８に記載の保護スーツ１０と同様の構成については適宜その説明を省略し、図１乃至図８に記載の保護スーツ１０と異なる部分を中心に説明する。
【００２５】
図９乃至図１０に示すように、保護スーツ１０は、複数個のパーツ４Ａ〜４Ｖから構成される。保護スーツ１０は、パーツ４Ａ〜４Ｖの端面（断面）に接着剤１１を塗布して接合することによって、立体形状に構成される。テープ部材１２は、パーツ４Ａ〜４Ｖの各接合部分に沿って接着剤等によって設けられる。テープ部材１２は、パーツ４Ａ〜４Ｖの各接合部分の外側面に配置される。
【００２６】
保護スーツ１０の下半身部分について説明する。
保護スーツ１０の下半身部分は、前下パーツ４Ｍ、後下パーツ４Ｎ、股パーツ４Ｐ、右前膝パーツ４Ｑ、右後膝パーツ４Ｒ、左前膝パーツ４Ｓ、左後膝パーツ４Ｔ、右足パーツ４Ｕ、および、左足パーツ４Ｖの各端面を接合することによって構成される。前下パーツ４Ｍ、後下パーツ４Ｎ、股パーツ４Ｐ、右前膝パーツ４Ｑ、右後膝パーツ４Ｒ、左前膝パーツ４Ｓ、左後膝パーツ４Ｔ、右足パーツ４Ｕ、および、左足パーツ４Ｖの各接合部分には、テープ部材１２が設けられる。右足パーツ４Ｕの端面の接合部分、および、左足パーツ４Ｖの端面の接合部分は、それぞれ後方に配置され、直線状に構成される。
【００２７】
次に、図１１乃至図１２に記載の保護スーツ１０について説明する。
なお、図１１乃至図１２に記載の保護スーツ１０の説明については、図１乃至図１０に記載の保護スーツ１０と同様の構成については適宜その説明を省略し、図１乃至図１０に記載の保護スーツ１０と異なる部分を中心に説明する。
【００２８】
図１１乃至図１２に示すように、保護スーツ１０は、複数個のパーツ５Ａ〜５Ｉから構成される。保護スーツ１０は、パーツ５Ａ〜５Ｉの端面（断面）に接着剤１１を塗布して接合することによって、立体形状に構成される。テープ部材１２は、パーツ５Ａ〜５Ｉの各接合部分に沿って接着剤等によって設けられる。テープ部材１２は、パーツ５Ａ〜５Ｉの各接合部分の外側面に配置される。
【００２９】
保護スーツ１０の下半身部分について説明する。
保護スーツ１０の下半身部分は、前パーツ５Ａの下部、股パーツ５Ｈ、および、後下パーツ５Ｉの各端面を接合することによって構成される。前パーツ５Ａの下部、股パーツ５Ｈ、および、後下パーツ５Ｉの各接合部分には、テープ部材１２が設けられる。前パーツ５Ａの下部と後下パーツＩとの接合部分は、右足部分および左足部分の左右にそれぞれ配置され、それぞれ直線状に構成される。
【符号の説明】
【００３０】
１Ａ〜１Ｎ  パーツ
２Ａ〜２Ｖ  パーツ
３Ａ〜３Ｎ  パーツ
４Ａ〜４Ｖ  パーツ
５Ａ〜５Ｉ  パーツ
１０  保護スーツ
１１  接着剤
１２  テープ部材
【図１】
2019039105.tif 000003
【図２】
2019039105.tif 000004
【図３】
2019039105.tif 000005
【図４】
2019039105.tif 000006
【図５】
2019039105.tif 000007
【図６】
2019039105.tif 000008
【図７】
2019039105.tif 000009
【図８】
2019039105.tif 000010
【図９】
2019039105.tif 000011
【図１０】
2019039105.tif 000012
【図１１】
2019039105.tif 000013
【図１２】
2019039105.tif 000014